(57)【要約】【課題】折戸を構成する戸板の表面に取り付けた場合であってもダンパの耐久性が損なわれることのない緩衝装置を提供する。【解決手段】緩衝装置１０を、ベース１４と、当接対象１０２に当接し、さらにベース１４に対して直線方向ＳＤに移動する移動体１６と、移動体１６に対する当接対象１０２からの応力によって圧縮されることにより、移動体１６に対して直線方向ＳＤに弾発力を付勢するダンパ１８とで構成する。さらに、移動体１６には、直線方向ＳＤに沿って延びるガイド部３４を形成し、ベース１４には、ガイド部３４と係合して移動体１６の移動方向を直線方向ＳＤに規制するとともに、移動体１６がベース１４から離間する方向へ移動するのを規制する規制部材２６を形成し、規制部材２６を、ベース１４における移動体１６がダンパ１８によって付勢される方向の端部に形成することにより、上記課題を解決できる。【選択図】図１
2014145179.tif 000002
【特許請求の範囲】
【請求項１】
折戸を構成する戸板の表面に取り付けられるベースと、
前記折戸を閉じる動作に伴って当接対象に当接し、さらに前記折戸を閉じていくことにより前記ベースに対して直線方向に移動する移動体と、
一端が前記ベースに当接するとともに、他端が前記移動体に当接しており、前記移動体に対する前記当接対象からの応力によって圧縮されることにより、前記移動体に対して前記直線方向に弾発力を付勢するダンパとを備えており、
前記移動体は、前記直線方向に沿って延びるガイド部を有しており、
前記ベースは、前記ガイド部に係合して前記移動体の移動方向を前記直線方向に規制するとともに、前記移動体が前記ベースから離間する方向へ移動するのを規制する規制部材を備えており、
前記規制部材は、前記ベースにおける前記移動体が前記ダンパによって付勢される方向の端部に形成されている緩衝装置。
【請求項２】
前記移動体は、前記当接対象に当接する当接面を有しており、前記当接面は、円弧上の断面を有していることを特徴とする請求項１に記載の緩衝装置。
【請求項３】
前記折戸を閉じきったときに前記当接対象に当接する平面状の閉時当接面が前記当接面に連続して形成されていることを特徴とする請求項２に記載の緩衝装置。
【請求項４】
複数の前記ダンパを備えており、これら前記ダンパは、前記緩衝装置を前記戸板に取り付けたとき、前記戸板の表面に沿って並ぶように配置されていることを特徴とする請求項１から３のいずれかに記載の緩衝装置。
【請求項５】
請求項１から４のいずれかに記載した緩衝装置を備える折戸。
【発明の詳細な説明】
【技術分野】
【０００１】
本発明は、一般住宅等において使用される折戸の緩衝装置に関し、折戸が急激に閉まって大きな衝撃音や振動が発生するのを防止する緩衝装置およびそれを含む折戸に関する。
【背景技術】
【０００２】
折戸は、一般住宅等におけるクローゼットや物入れにアクセスするための開口を開閉するためのものである。このような折戸は、少なくとも２枚の戸板を備えており、隣り合う戸板同士を蝶番等で互いに水平方向に回動自在に連結するとともに、戸板の上端部あるいは下端部を回動自在に保持することにより、戸板が相互に回動しながら開口を開閉することができるようになっている。
【０００３】
このように、折戸は、戸板同士が回動しながら開口を開閉する構造上、閉めたときに戸板が上下左右の戸枠に当接したり、戸板の木口同士が当接したりする。このため、折戸を勢いよく閉めると大きな衝撃音や振動が発生する。この衝撃や振動は、ユーザに不快感を与えるだけでなく、衝撃や振動が戸板や戸枠に繰り返し加わることによって戸板の損傷や劣化を招く原因となる。また、一旦最後まで閉まった戸板が衝撃によって跳ね返り、折戸が半閉まり状態になるという問題もある。
【０００４】
このような問題を回避するため、特許文献１に示すように、戸板の背面側上部隅にダンパを含む緩衝装置を取り付け、折戸を閉じたときにダンパの先端に取り付けた当接部材を戸枠の表面に当接させることにより、戸板の勢いを当該ダンパで緩衝させて衝撃音や振動の発生を低減する技術が開発されている。
【先行技術文献】
【特許文献】
【０００５】
【特許文献１】特開２００８−２４８５９８号公報
【発明の概要】
【発明が解決しようとする課題】
【０００６】
しかしながら、特許文献１の緩衝装置にも問題があった。すなわち、図１０(a)に示すように、特許文献１の緩衝装置１を戸板２の背面側に取り付けた場合において、折戸を閉じていったとき、ダンパ３は、戸枠４に対して直線的に近接していくのではなく、戸板２を回動可能に保持する軸５を中心として円弧を描くようにして戸枠４に近接してく。このため、ダンパ３の先端に取り付けた当接部材６が戸枠４の表面に当接してから折戸が閉じきる直前までは、当接部材６を介してピストン軸７が戸枠４の表面を押圧する。このように押圧することの反力として、当接部材６は、戸板２の表面から離間する方向の応力Fを戸枠４の表面から受け続けることになる（図１０(b)）。とりわけ、当接部材６が戸枠４の表面に当接した直後は、戸枠４の表面とダンパ３の長手方向の軸線とが成す角度が浅く、当接部材６が戸枠４の表面から受ける応力Ｆの角度が戸板２の表面に対して直角に近いことから、この応力Ｆの大部分が当接部材６を戸板２の表面から離間させる方向に作用することになる。
【０００７】
当接部材６を戸板２の表面から離間させる方向の応力Fが繰り返し加えられると、ピストン軸７がその動作方向から撓んだ状態でダンパ３のシリンダ８内を出入りすることになり、これによってダンパ３の耐久性が著しく損なわれてしまう。
【０００８】
本発明は、このような従来技術の問題点に鑑みて開発されたものである。それゆえに本発明の主たる課題は、折戸を構成する戸板の表面に取り付けた場合であってもダンパの耐久性が損なわれることのない緩衝装置およびそれを用いた折戸を提供することにある。
【課題を解決するための手段】
【０００９】
請求項１に記載した発明は、
折戸を構成する戸板の表面に取り付けられるベースと、
前記折戸を閉じる動作に伴って当接対象に当接し、さらに前記折戸を閉じていくことにより前記ベースに対して直線方向に移動する移動体と、
一端が前記ベースに当接するとともに、他端が前記移動体に当接しており、前記移動体に対する前記当接対象からの応力によって圧縮されることにより、前記移動体に対して前記直線方向に弾発力を付勢するダンパとを備えており、
前記移動体は、前記直線方向に沿って延びるガイド部を有しており、
前記ベースは、前記ガイド部に係合して前記移動体の移動方向を前記直線方向に規制するとともに、前記移動体が前記ベースから離間する方向へ移動するのを規制する規制部材を備えており、
前記規制部材は、前記ベースにおける前記移動体が前記ダンパによって付勢される方向の端部に形成されている緩衝装置である。
【００１０】
請求項１に記載した緩衝装置によれば、ベースに形成された規制部材によって、当該移動体が予め設定された直線方向以外の向きに移動することが規制されるので、戸板を閉じていったときに、戸板の表面に対して直角に近い方向の応力が当接対象（例えば、戸枠の表面）から移動体に与えられたとしても、移動体は所定の直線方向にのみ移動するので、移動体を介して応力を受けるダンパが撓んだ状態で作動するのを回避することができる。これにより、ダンパの耐久性が損なわれるおそれを極小化することができる。
【００１１】
また、移動体が付勢される方向の端部に規制部材が形成されることにより、移動体がベースから離間する方向に加えられる応力への耐力を高めることができる点で有利である。
【００１２】
請求項２に記載した発明は、請求項１に記載した緩衝装置の改良に関するものであり、前記移動体は、前記当接対象に当接する当接面を有しており、前記当接面は、円弧上の断面を有していることを特徴としている。
【００１３】
この緩衝装置では、当接面の断面が円弧上に形成されているので、折戸を閉じていったときに、当接対象が当接する当接面上の位置をスムースに移動させることができる。これにより、戸板の勢いをよりスムースに減殺することができる。
【００１４】
請求項３に記載した発明は、請求項２に記載した緩衝装置を改良したものであり、前記折戸を閉じきったときに前記当接対象に当接する平面状の閉時当接面が前記当接面に連続して形成されていることを特徴としている。
【００１５】
この発明によれば、折戸を閉じていったとき、折戸が閉じきられる直前までは、円弧状断面を有する当接面が当接対象に対して当接しており、徐々にダンパが縮められていく。そして、折戸を閉じきったときに平面状の閉時当接面が当接対象に対して当接する。すると、平面状の閉時当接面は、当接対象に対して「面」で接触し、ダンパの弾発力によって「面」で当接対象を押圧付勢するので、折戸が不所望に開こうとせずに折戸の閉状態を安定的に維持することができる。
【００１６】
請求項４に記載した発明は、請求項１から３のいずれかに記載した発明の改良に関し、複数のダンパを備えており、これらダンパは、緩衝装置を戸板に取り付けたとき、当該戸板の表面に沿って並ぶように配置されていることを特徴とする。
【００１７】
この発明によれば、複数のダンパが戸板の表面に沿って並ぶように配置されているので、ダンパによる弾発力を増大させながらも、緩衝装置が戸板の表面から突出する高さが増すのを回避することができ、折戸を開けたときに緩衝装置が反対側の戸板と干渉するのをできるだけ防止して広い有効開口を維持することができる。
【００１８】
請求項５に記載した発明は、請求項１から４のいずれかに記載した緩衝装置を備える折戸である。
【発明の効果】
【００１９】
本発明によれば、折戸を構成する戸板の表面に取り付けた場合であってもダンパの耐久性が損なわれることのない緩衝装置およびそれを用いた折戸を提供することができた。
【図面の簡単な説明】
【００２０】
【図１】本発明が適用された緩衝装置を示す分解斜視図である。
【図２】ベースの(a)平面図、(b)正面図、および(c)右側面図である。
【図３】ダンパ位置調整部材の底面側を示す斜視図である。
【図４】移動体の(a)平面図、(b)背面図、および(c)右側面図である。
【図５】移動体の当接面および閉時当接面を示す図である。
【図６】本発明が適用された緩衝装置を含む折戸を示す斜視図である。
【図７】本発明が適用された緩衝装置を含む折戸を示す平面図である。
【図８】戸枠に当接した状態の緩衝装置を示す平面図である。
【図９】ベースにおける規制部材の他の実施例を示す斜視図である。
【図１０】従来技術を示す図である。
【発明を実施するための形態】
【００２１】
以下、本発明が適用された緩衝装置１０について図面を用いて説明する。なお、以下の説明では、各符号に関し、各部位を上位概念で示す場合にはアルファベットの枝番をつけずアラビア数字のみで示し、各部位を区別する必要がある場合（すなわち下位概念で示す場合）にはアルファベット大文字の枝番をアラビア数字に付して区別する。
【００２２】
緩衝装置１０は、図１に示すように、大略、ベース１４と、移動体１６と、ダンパ１８とを備えている。
【００２３】
ベース１４は、折戸１２を構成する戸板２０の表面に取り付けられる部材であり、図１および図２に示すように、略矩形状のプレート２４と、プレート２４の端縁（図２(a)における下方端縁）に形成された一対の規制部材２６と、規制部材２６とは反対側の端縁（図２(a)における上方端縁）に形成された複数の突片２８と、一対のボルト孔３０と、ダンパ位置調整部材１９とを有している。なお、本実施例では、プレート２４、規制部材２６、および突片２８が一体的に形成されており、これとは別体としてダンパ位置調整部材１９が用意されているが、各部材を別々に形成した後で組み合わせることによってベース１４を形成してもよいし、逆に、ダンパ位置調整部材１９も含めて、一体的にベース１４を形成してもよい。
【００２４】
プレート２４は、例えば、金属製の板材であり、必要に応じてその表面に塗装が施されている。もちろん、移動体１６を介してプレート２４に加えられる当接対象１０２（本実施例では、戸枠１００の表面）からの応力に耐えられるものであれば、金属に限らず、樹脂等の他の材料を使用することもできる。
【００２５】
規制部材２６は、プレート２４の端縁を折り曲げることによって断面が互いに向かい合う逆「Ｌ」字状となるように形成された一対の鈎状部である。つまり、規制部材２６は、ベース１４における移動体１６がダンパ１８によって付勢される方向の端部に形成されている。移動体１６が付勢される方向の端部に規制部材２６が形成されることにより、移動体１６がベース１４から離間する方向に加えられる応力への耐力を高めることができる点で有利である。なお、ここでいう「端部」とは、文字通りプレート２４の「端」に限定されるものではなく、規制部材２６がプレート２４の端縁からやや中心寄りに形成されている場合も含む概念である。
【００２６】
規制部材２６は、移動体１６のガイド部３４（後述）と係合することにより、移動体１６の移動方向を直線方向ＳＤに規制するとともに、移動体１６がベース１４から離間する方向に移動するのを規制する役割を有している。
【００２７】
突片２８は、プレート２４における規制部材２６とは反対側の端縁部（図２(a)における上方端縁）を切り起すことによって形成されており、本実施例では、プレート２４の中心線Ｌ上に１つの突片（突片２８ａ）、および、この中心線Ｌを中心とした両側に２つ突片（突片２８b、２８c）が形成されている。もちろん、突片２８の数は本実施例のものに限られず、１つ、あるいは２つでもよいし、４つ以上であってもよい。
【００２８】
また、本実施例では、各突片２８の表面にそれぞれ凸部６０が形成されている。さらに詳しく言えば、突片２８ａに形成された凸部６０ａは、突片２８ｂ、２８ｃに形成された凸部６０ｂ、６０ｃに対して向かい合う向きに形成されており、各突片２８をダンパ位置調整部材１９に形成された突片挿入穴４６（後述）に挿入したとき、各凸部６０がダンパ位置調整部材１９を挟持するようになっている。なお、各突片２８の先端部はケガ防止のために丸められており、また、各突片２８の高さは、規制部材２６の高さよりもやや高く設定されている。
【００２９】
ボルト孔３０は、プレート２４における両側端部（図面では左右端部）にそれぞれ１つずつ形成されたキリ孔である。ボルト孔３０の位置、数、あるいはその直径は本実施例に限定されるものではないが、できるだけ規制部材２６の近くにボルト孔３０を形成するのが、プレート２４に加えられる応力に対してより有利である点で好適である。
【００３０】
ダンパ位置調整部材１９は、図３に示すように、ベース１４に形成された３つの突片２８が挿入される複数の突片挿入穴４６が形成されたブロック状の部材である。本実施例では、樹脂製のダンパ位置調整部材１９が使用されているが、材質は特に限定されるものではない。
【００３１】
複数の突片挿入穴４６について説明すると、この突片挿入穴４６は、３つの突片２８を同時に挿入できるように、各突片２８と同じ間隔で３列に形成されており、各列では同じ方向に５つの突片挿入穴４６が形成されている。つまり、１つのダンパ位置調整部材１９に、３×５＝１５カ所の突片挿入穴４６が形成されている。このように突片挿入穴４６を形成することにより、突片２８を挿入する位置を５段階に変えることができる。もちろん、突片挿入穴４６の数は、これに限定されるものではなく、ベース１４に形成された突片２８の数、および、要求されるダンパ１８の位置調整の精度に応じて決定される。
【００３２】
また、ダンパ位置調整部材１９における突片挿入穴４６が形成された面の縁部（より正確に言えば、ダンパ１８が当接する面とは反対側の面に隣接する縁部）には、脚部４８が突設されている。この脚部４８の高さｔは、プレート２４の厚さとほぼ同じにするのが好適である。
【００３３】
脚部４８から最も離れた位置にある突片挿入穴４６に突片２８が挿入された場合、ダンパ位置調整部材１９がベース１４のプレート２４からはみ出した状態になる可能性がある。しかしながら、上述のような脚部４８を構成することにより、ダンパ位置調整部材１９がダンパ１８からの弾発力を受けたときに、当該ダンパ位置調整部材１９が不所望にぐらつくのを防止することができる。
【００３４】
移動体１６は、図４に示すように、例えばポリアセタールのような強度のある樹脂で形成された本体部３１に、当接面３２と、ガイド部３４と、ダンパ１８が収容されるダンパ収容溝３６とが一体的に形成されている。
【００３５】
当接面３２は、緩衝装置１０を戸板２０に取り付けて使用したとき、例えば戸枠１００の表面等の当接対象１０２に当接する面である。この当接面３２は、図示するように、その断面を円弧状に形成するのが好適である。
【００３６】
当接面３２の断面を円弧状に形成するのに加えて、図５に示すように、円弧状の当接面３２に連続しており、折戸１２を閉じきったときに当接対象１０２に当接する、平面状の閉時当接面３８を形成してもよい。
【００３７】
このような閉時当接面３８を形成することにより、折戸１２を閉じていったときにおいて、折戸１２が閉じきられる直前までは、円弧状断面を有する当接面３２が当接対象１０２に対して当接しており（図５(a)）、徐々にダンパ１８が縮められていく。そして、折戸１２を閉じきったときに、平面状の閉時当接面３８が当接対象１０２に対して当接する（図５(b)）。すると、平面状の閉時当接面３８は、当接対象１０２に対して「面」で接触し、ダンパ１８の弾発力によって「面」で当接対象１０２を押圧付勢するので、折戸１２が不所望に開こうとせずに折戸１２の閉状態を安定的に維持することができる点で好適である。
【００３８】
図４に戻って、ガイド部３４は、本体部３１の両側面からそれぞれ突出し、移動体１６がベース１４に対して移動する直線方向ＳＤ（図１参照）に沿って延びるように形成されている。このガイド部３４がベース１４に形成された規制部材２６と係合することにより、ベース１４に対する移動体１６の移動方向が直線方向ＳＤに規制されるとともに、移動体１６がベース１４から離間する方向へ移動することが規制されるようになっている。
【００３９】
ダンパ収容溝３６は、ダンパ１８を収容するための溝であり、本実施例では３本のダンパ１８を収容すべく３カ所のダンパ収容溝３６が形成されている。折戸１２を構成する戸板２０の大きさ等によって決まる必要な弾発力に応じて緩衝装置１０に用いられるダンパ１８の本数が決まり、これに基づいてダンパ収容溝３６の数が決定されることは言うまでもない。
【００４０】
ダンパ１８は、その一端がベース１４（本実施例では、ダンパ位置調整部材１９の側面）に当接するとともに、他端が移動体１６に当接しており（本実施例では、ダンパ収容溝３６に収容されている）、さらに、移動体１６に対する当接対象１０２からの応力によって圧縮されるとともに移動体１６に対して弾発力を付勢する部材である。本実施例では、図１に示すように、大略、シリンダ部４０と、当該シリンダ部４０から出入りするピストン軸４２と、必要に応じて設けられる、当該ピストン軸４２の先端に取り付けられた先端部材４４とで構成されたダンパ１８を使用しているが、移動体１６に対して弾発力を付勢できるものであれば、他の形式のダンパを使用してもよい。
【００４１】
また、本実施例では、上述のように移動体１６の本体部３１に所定の本数のダンパ１８を収容するダンパ収容溝３６が形成されており、ダンパ１８は移動体１６側に取り付けられることになるが、もちろん、ダンパ１８をベース１４側で収容固定してもよい。
【００４２】
次に、図６、図７および図８を用いて、本実施例の緩衝装置１０を備える折戸１２について説明する。本実施例の折戸１２は、２枚一組の戸板２０と、蝶番２２とを備えている。
【００４３】
折戸１２は、一般住宅等におけるクローゼットや物入れにアクセスするための開口を開閉するためのものであり、隣り合う戸板２０同士を蝶番２２で互いに水平方向に回動自在に連結するとともに、開口の両側縁や上縁に取り付けられた戸枠１００に対して戸板２０の上端部あるいは下端部を回動自在に保持することにより、戸板２０が相互に回動しながら開口を開閉することができるようになっている。
【００４４】
本実施例では、緩衝装置１０が戸板２０の背面（折戸１２を閉じたときにクローゼット等の内側になる面）における、戸枠１００側の端縁部に取り付けられている。なお、戸板２０の上下方向における緩衝装置１０の取り付け位置は、特に限定されるものではないが、戸板２０の高さ方向のほぼ中央部に取り付けるのが好適である。仮に、緩衝装置１０を戸板２０の上端部に取り付けたとすると、折戸１２を勢いよく閉じたとき、戸板２０の上端部には緩衝装置１０があるのでその勢いが止められる。しかしながら、その一方で、慣性力が残る戸板２０の下部はその勢いを止めることができないことから、戸板２０は一時的に上端部を支点として下部が開口の内側に入り込むように撓んだ状態になる。このような「撓み」が戸板２０に何度も生じると、戸板２０が歪んでスムースな開閉ができなくなるおそれがあるからである。
【００４５】
緩衝装置１０を取り付けた折戸１２[開けた状態（図７(a)）]から閉じていくと、緩衝装置１０の当接面３２が当接対象１０２（本実施例では、戸枠１００の表面）に当接する（図７(b)および図８(a)）。さらに折戸１２を閉じていくと、移動体１６が当接対象１０２からの押圧力を受けることにより、ベースに対して直線方向ＳＤに移動し、それに伴ってダンパ１８が圧縮されていく（図７(c)および図８(b)）。
【００４６】
ダンパ１８が圧縮されることによってシリンダ部４０にピストン軸４２が押し込まれた分だけ、ピストン軸４２を元の長さに戻そうとするダンパ１８の弾発力が増加していくので、折戸１２を閉じていくにつれて、移動体１６を当接対象１０２側に押し戻そうとする弾発力が増加していく。
【００４７】
これにより、勢いよく折戸１２を閉じたとしても、折戸１２が閉じきるころには折戸１２の勢いがダンパ１８の弾発力によって減殺されて、ゆっくりと静かに閉じきるようになる。
【００４８】
本実施例の緩衝装置１０によれば、ベース１４に形成された規制部材２６によって、移動体１６が予め設定された直線方向ＳＤ以外の向きに移動することが規制されるので、戸板２０を閉じていったときに、戸板２０の表面に対して直角に近い方向の反力が当接対象１０２（例えば、戸枠１００の表面）から移動体１６に与えられたとしても、移動体１６は所定の直線方向ＳＤにのみ移動するので、移動体１６を介して反力を受けるダンパ１８が撓んだ状態で作動するのを回避することができる。これにより、ダンパ１８の耐久性が損なわれるおそれを極小化することができる。
【００４９】
また、本実施例では、当接面３２の断面が円弧上に形成されているので、折戸１２を閉じていったときに、当接対象１０２が当接される当接面３２上の位置をスムースに移動させることができる。これにより、戸板２０の勢いをよりスムースに減殺することができる。
【００５０】
さらに、本実施例では、複数のダンパ１８が戸板２０の表面に沿って並ぶように配置されているので、ダンパ１８による弾発力を増大させながらも、緩衝装置１０が戸板２０の表面から突出する高さが増すのを回避することができ、折戸１２を開けたときに緩衝装置１０が反対側の戸板２０と干渉するのをできるだけ防止して広い有効開口を維持することができる。
【００５１】
なお、本実施例では、断面が逆「Ｌ」字状である鈎状の規制部材２６が用いられているが、規制部材２６の形状はこれに限られるものではなく、例えば、図９に示すようなトンネル状のものであってもよい。この場合、移動体１６の本体部３１がガイド部３４を兼ねることになる。つまり、直線方向ＳＤに直交する面で本体部３１を切断し断面における四隅がトンネル状の規制部材２６と係合するガイド部３４となる。
【００５２】
また、ダンパ位置調整部材１９についても、上記実施例のような段階式のものではなく、ボルトの押し込み深さを変えることによってダンパ１８の位置を調整する「押しボルト」方式を含むその他の方式を用いることができる。もちろん、ダンパ１８の位置調整機構を省いて、ダンパ１８の位置を固定式にしてもよい。
【符号の説明】
【００５３】
１０…緩衝装置、１２…折戸、１４…ベース、１６…移動体、１８…ダンパ、１９…ダンパ位置調整部材、２０…戸板、２２…蝶番、２４…プレート、２６…規制部材、２８…突片、３０…ボルト孔、３１…本体部、３２…当接面、３４…ガイド部、３６…ダンパ収容溝、３８…閉時当接面、４０…シリンダ部、４２…ピストン軸、４４…先端部材、４６…突片挿入穴、４８…脚部、６０…凸部、１００…戸枠、１０２…当接対象、Ｌ…中心線、ＳＤ…直線方向
【図１】
2014145179.tif 000003
【図２】
2014145179.tif 000004
【図３】
2014145179.tif 000005
【図４】
2014145179.tif 000006
【図５】
2014145179.tif 000007
【図６】
2014145179.tif 000008
【図７】
2014145179.tif 000009
【図８】
2014145179.tif 000010
【図９】
2014145179.tif 000011
【図１０】
2014145179.tif 000012